(57)【要約】【課題】簡易な設備の追加でアスファルト混合物の温度低下を効果的に抑制でき、長時間の運搬が可能であり、汎用性があり、経済面・環境面で良好な運搬用車両及びアスファルト混合物運搬方法を提供する。【解決手段】ダンプトラック１は、走行可能な車体上に傾動可能な荷台１０を備え、荷台１０にアスファルト混合物を積載して運搬可能である。荷台１０の外側下部を少なくとも前方及び側方に亘って覆う保温用シート２０を設けて、荷台１０の床板１１の裏面下に空気滞留層を形成する。空気滞留層は、荷台１０の左右両側に設けられた一対の側板１３の下方延長部間に形成される。荷台１０の外側下部は、複数の保温用シート２１，３０，４０によって覆われ、これらの保温用シートは、前側に位置する保温用シートの後端部を後側に位置する保温用シートの前端部上に重ねるように配置される。【選択図】図２
2008088698.tif 000002
【特許請求の範囲】
【請求項１】
走行可能な車体と、該車体に対して傾動可能な荷台とを備え、該荷台にアスファルト混合物を積載して運搬可能な運搬用車両であって、
前記荷台の外側下部を少なくとも前方及び側方に亘って覆う保温用シートを設けて、前記荷台の床板の裏面下に前記保温用シートで覆われた空気滞留層を形成することを特徴とする運搬用車両。
【請求項２】
前記空気滞留層は、前記荷台の左右両側に設けられた一対の側板の前記床板より下方へ延びる下方延長部間に形成されることを特徴とする請求項１に記載の運搬用車両。
【請求項３】
前記荷台の外側下部は、複数の保温用シートによって覆われ、
これらの保温用シートは、車体前後方向に隣接する保温用シートのうち、前側に位置する保温用シートの後端部を後側に位置する保温用シートの前端部上に重ねるように配置されることを特徴とする請求項１又は２に記載の運搬用車両。
【請求項４】
車体前後方向に隣接して端部同士が重なる保温用シートのうち重ねる側の保温用シートに係合孔部を設け、重ねられる側の保温用シートに前記係合孔部に係止される係止突起部を設けることを特徴とする請求項３に記載の運搬用車両。
【請求項５】
前記保温用シートの端部に、基端側が該保温用シートの表面に固着された固着部と、該固着部に繋がって伸縮自在な帯部と、該帯部の先端部に取り付けられて前記荷台の前部に設けられた前板及び前記側板の上部に掛止可能なフック部とを有して前記保温用シートを前記荷台に止めるシート係止手段を設けることを特徴とする請求項１から４のいずれかに記載の運搬用車両。
【請求項６】
前記複数の保温用シートによって、前記荷台の外側下部の前方及び側方の全てを覆うことを特徴とする請求項３から５のいずれかに記載の運搬用車両。
【請求項７】
前記荷台は、該荷台の底部と前記車体との間に取り付けられたシリンダ機構部によって傾動可能であり、
前記シリンダ機構部は、これが伸長して前記荷台が傾動すると、該シリンダ機構部自体も傾動するように取り付けられ、
前記荷台の下部のうち前記シリンダ機構部が延出する部分を覆う保温用シートには、前記シリンダ機構部が伸長すると、該シリンダ機構部の傾動に応じて荷台底部から離反する方向に移動する前記シリンダ機構部の先端部を受容する受容部分が設けられることを特徴とする請求項１から６のいずれかに記載の運搬用車両。
【請求項８】
走行可能な車体と、該車体に対して傾動可能な荷台とを備え、該荷台にアスファルト混合物を積載して運搬可能な運搬用車両において、前記荷台に積載されたアスファルト混合物をその表面に保温用シートを被せて運搬するアスファルト混合物運搬方法であって、
前記荷台の外側下部を少なくとも前方及び側方に亘って覆う保温用シートを設けて前記荷台の床板の裏面下に保温用シートで覆われた空気滞留層を形成した荷台に、前記アスファルト混合物を積載して運搬することを特徴とするアスファルト混合物運搬方法。
【請求項９】
前記荷台の外側下部を覆う複数の保温用シートを、車体前後方向に隣接する保温用シートのうち前側に位置する保温用シートの後端部が後側に位置する保温用シートの前端部上に重なるように、前記荷台の後側から前側に順に取り付けることを特徴とする請求項８に記載のスファルト混合物運搬方法。
【発明の詳細な説明】
【技術分野】
【０００１】
本発明は、荷台にアスファルト混合物を積載して運搬する運搬用車両及びアスファルト混合物運搬方法に関する。
【背景技術】
【０００２】
道路のアスファルト舗装を行うときに用いられるアスファルト混合物は、アスファルトプラントで製造され、高温状態でダンプカーの荷台上にシュートから落下して積み込まれて工事現場に運搬されるが、運搬過程でアスファルト混合物の温度が低下すると、良質なアスファルト舗装ができなくなる。
【０００３】
そこで、アスファルト混合物を工事現場に運搬するときには、荷台上に積み込まれたアスファルト混合物の表面にシートを被せて保温したり、特許文献１に記載されているように、断熱性材料で形成された荷台にアスファルト混合物を積み込んで運搬する方法等が知られている。
【０００４】
【特許文献１】特開２００３−３３６２１０号公報
【発明の開示】
【発明が解決しようとする課題】
【０００５】
従来のアスファルト混合物の表面にシートを被せる方法では、図１（ａ）（側面説明図）及び図１（ｂ）（背面説明図）に示すように、金属材料の熱伝導率が高い材料で形成された荷台１０に、直接にアスファルト混合物Ａを積載し、このアスファルト混合物Ａの表面を単にシート８０で覆っているだけなので、荷台１０の床板１１から放熱してアスファルト混合物Ａの温度が低下するのは避けられない。またシート８０の表面から放熱し、また車両走行時の風がシート表面に当たって放熱を促進し、更には車両走行時の風がシート内側に侵入してアスファルト混合物を冷却する。このため、アスファルト混合物Ａの表面をシート８０で覆っても効果的に温度低下を抑えることができないという問題が発生する。
【０００６】
これによって、工事現場に運搬されたアスファルト混合物Ａは、表面部分と荷台１０に接している部分の温度が低下することになり、これらの温度低下した部分を取り除いたうえでアスファルト工事に使用されている。これにより、復旧面積に対して２〜３割増のアスファルト混合物Ａを準備する必要があり、無駄が多く、温度低下した部分は作業廃棄物になり、環境問題の原因にもなる。また荷台１０にアスファルト混合物Ａを積載して運搬可能な運搬時間は、その温度低下を考慮すると、冬季や寒冷地では、約１〜２時間が限度であり、長時間の運搬は困難となる。
【０００７】
一方、断熱性材料製の荷台は、アスファルト混合物を運搬する専用車両となり、汎用性が低く、設備コストが大きいという問題があって、ほとんど普及していないのが現状である。
【０００８】
本発明は、このような問題を解決するためになされたものであり、簡易な設備の追加でアスファルト混合物の温度低下を効果的に抑制することができ、長時間の運搬が可能であり、汎用性があり、経済面・環境面で良好な運搬用車両及びアスファルト混合物運搬方法を提供することを目的とする。
【課題を解決するための手段】
【０００９】
このような課題を解決するために、本発明は、以下の特徴を有する。先ず、特徴の１つは、走行可能な車体と、該車体に対して傾動可能な荷台とを備え、該荷台にアスファルト混合物を積載して運搬可能な運搬用車両（例えば、実施形態におけるダンプトラック１）であって、荷台の外側下部を少なくとも前方及び側方に亘って覆う保温用シートを設けて、荷台の床板の裏面下に保温用シートで覆われた空気滞留層を形成することを特徴とする。
【００１０】
この特徴によれば、荷台の外側下部を少なくとも前方及び側方に亘って覆う保温用シートを設けて、荷台の床板の裏面下に保温用シートで覆われた空気滞留層を形成することにより、荷台の床板の下方に断熱層を設けることができる。このため、床板からのアスファルト混合物の放熱を抑えることができ、アスファルト混合物の冷却防止効果を向上することができる。従って、アスファルト混合物の温度低下による品質劣化を最小限に抑えることができ、品質劣化して作業廃棄物となるアスファルト混合物の量が少なくなって無駄をなくして環境問題においても良好となり、長時間の運搬ができ、特に寒冷地等の運搬に効果をより発揮することができる。また本発明は、運搬用車両の荷台の下部に保温用シートを装着するだけであるので、土砂等を運搬するときにこれが邪魔にならなければ、保温用シートをそのままの状態にしておいてもよいので、保温用シートが存在しても、運搬用車両の運搬対象物が限定されるものではなく、アスファルト混合物以外の土砂等の運搬も可能であり、運搬用車両の汎用性を狭くすることもない。さらに本発明は、既存の運搬用車両の荷台に保温用シートを設けるだけであるので、コストの増加が抑制されて極めて経済的である。
【００１１】
また特徴の１つは、空気滞留層が、荷台の左右両側に設けられた一対の側板の床板より下方へ延びる下方延長部間に形成されることを特徴とする。
【００１２】
この特徴によれば、空気滞留層は一対の側板の下方延長部間に形成されることより、空気滞留層の左右両側は一対の側板の下方延長部によって仕切られる。このため、空気滞留層の容積変動を小さくすることができ、空気滞留層の断熱性能を高い状態に維持することができる。
【００１３】
また特徴の１つは、荷台の外側下部は、複数の保温用シート（例えば、実施形態における前側保温用シート２１，中間保温用シート３０，後側保温用シート４０）によって覆われ、これらの保温用シートは、車体前後方向に隣接する保温用シートのうち、前側に位置する保温用シートの後端部を後側に位置する保温用シートの前端部上に重ねるように配置されることを特徴とする。
【００１４】
この特徴によれば、荷台の外側下部を複数の保温用シートで覆うことにより、保温用シートの大きさが過大になるのを防止して、荷台外側下部を保温用シートで覆う作業の作業性を向上することができる。また車体前後方向に隣接する保温用シートのうち車体前側に位置する保温用シートの後端部を車体後側に位置する保温用シートの前端部上に重なるように配置することで、車両が前進走行したときに、風が保温用シート間の隙間から入り難くすることができ、保温用シートが風によって剥れる事態を抑制することができる。
【００１５】
また特徴の１つは、車体前後方向に隣接して端部同士が重なる保温用シートのうち、重ねる側の保温用シートに係合孔部を設け、重ねられる側の保温用シートに係合孔部に係止される係止突起部を設けることを特徴とする。
【００１６】
この特徴によれば、重ねる側の保温用シートに係合孔部を設け、重ねられる側の保温用シートに係止突起部を設けることにより、前後方向に隣接して配置された保温用シート同士を確実に接続して、車両走行時において、保温用シートの重ね合わされた部分が風によって剥れる事態をより抑制することができる。
【００１７】
また特徴の１つは、保温用シートの端部に、基端側が該保温用シートの表面に固着された固着部と、該固着部に繋がって伸縮自在な帯部と、該帯部の先端部に取り付けられて起立したあおりの上部に掛止可能なフック部とを有して保温用シートを荷台に止めるシート係止手段を設けることを特徴とする。
【００１８】
この特徴によれば、保温用シートの端部に、固着部と帯部とフック部とを有してなるシート係止手段を設けることにより、保温用シートの端部を荷台の側板や
前板の外側面に沿わせた状態でフック部を側板等の上部に掛止するだけで、保温用シートを緊張させた状態で荷台の外側下部に設けることができる。
【００１９】
また特徴の１つは、複数の保温用シートによって、荷台の外側下部の前方及び側方の全てを覆うことを特徴とする。
【００２０】
この特徴によれば、複数の保温用シートによって荷台の外側下部の前方及び側方の全てを覆うことより、荷台の床板の下方に、より大きな空気滞留層を形成することができ、床下からのアスファルト混合物の放熱をより抑えて、アスファルト混合物の冷却防止効果をさらに向上することができる。
【００２１】
また特徴の１つは、荷台は、該荷台の底部と車体との間に取り付けられたシリンダ機構部によって傾動可能であり、シリンダ機構部は、これが伸長して荷台が傾動すると、該シリンダ機構部自体も傾動するように取り付けられ、荷台の下部のうちシリンダ機構部が延出する部分を覆う保温用シートには、シリンダ機構部が伸長すると、該シリンダ機構部の傾動に応じて荷台底部から離反する方向に移動するシリンダ機構部の先端部（例えば、実施形態におけるリフトアーム５２）を受容する受容部分が設けられることを特徴とする。
【００２２】
この特徴によれば、保温用シートに、シリンダ機構部の傾動に応じて荷台底部から離反する方向に移動するシリンダ機構部の先端部を受容する受容部分を設けることで、シリンダ機構部が伸長してこの先端部が荷台底部から離反する方向に移動しても、保温用シートがシリンダ機構部の先端部と干渉して保温用シートが損傷する事態を未然に防止することができる。
【００２３】
また本発明の特徴は、走行可能な車体と、該車体に対して傾動可能な荷台とを備え、該荷台にアスファルト混合物を積載して運搬可能な運搬用車両において、荷台に積載されたアスファルト混合物をその表面に保温用シートを被せて運搬するアスファルト混合物運搬方法であって、荷台の外側下部を少なくとも前方及び側方に亘って覆う保温用シートを設けて荷台の床板の裏面下に保温用シートで覆われた空気滞留層を形成した荷台に、アスファルト混合物を積載して運搬することを特徴とする。
【００２４】
この特徴によれば、荷台の外側下部を少なくとも前方及び側方に亘って覆う保温用シートを設けて荷台の床板の裏面下に保温用シートで覆われた空気滞留層を形成した荷台に、アスファルト混合物を積載して運搬することによって、荷台の床板の下方に断熱層を設けることができ、簡易な設備の追加でアスファルト混合物の温度低下を効果的に抑制することができ、長時間の運搬が可能であり、汎用性があり、経済的であり、環境問題においても良好にすることができる。
【００２５】
また特徴の１つは、荷台の外側下部を覆う複数の保温用シートを、車体前後方向に隣接する保温用シートのうち前側に位置する保温用シートの後端部が後側に位置する保温用シートの前端部上に重なるように、荷台の後側から前側に順に取り付けることを特徴とする。
【００２６】
この特徴によれば、荷台の外側下部を覆う複数の保温用シートを、荷台の後側から前側に順に取り付けることで、車体前後方向に隣接する保温用シートのうち後側に位置する保温用シートの前端部上に前側の保温用シートの後端部が重なるようにする保温用シートの配置作業の作業性を向上することができる。
【発明の効果】
【００２７】
本発明に係わる運搬用車両及びアスファルト混合物運搬方法によれば、前述の特徴を有することで、簡易な設備の追加でアスファルト混合物の温度低下を効果的に抑制することができ、長時間の運搬が可能であり、汎用性があり、経済面・環境面で良好な運搬用車両及びアスファルト混合物運搬方法を提供することができる。
【発明を実施するための最良の形態】
【００２８】
以下、本発明に係わる運搬用車両及びアスファルト混合物運搬方法の実施形態を図２から図６に基づいて説明する。本実施形態は、土砂等を運搬するダンプトラック、特に、荷台が車両後方側に傾動するダンプトラックを例にして説明する。先ず、アスファルト混合物運搬方法を説明する前に、運搬用車両の一例であるダンプトラックについて説明する。
【００２９】
ダンプトラック１は、図２（ａ）（側面図）及び図２（ｂ）（側面図）に示すように、走行可能な車体３と、車体３の後側に設けられた荷台１０と、荷台１０に積載されたアスファルト混合物からの放熱を防止する保温用シート２０とを備えて構成される。車体３の前側には運転キャビン５が設けられ、運転キャビン５の下部の車体前部及び車体後部には左右一対の前輪６及び後輪７が配設されている。前輪６は操舵可能に構成され、後輪７は図示しないエンジンからの動力を受けて回転駆動可能に構成されている。
【００３０】
荷台１０は、車体３と荷台１０との間に配設されたシリンダ機構部５０によって荷台１０の後端部を支点として荷台前側が起仰して荷台１０の床板１１が後方側に傾斜して、積載物を後端から排出可能になっている。シリンダ機構部５０は、ボトム側端部が車体３に枢結されて車両後方側に延びるホイストシリンダ５１と、ホイストシリンダ５１のロッド側端部に枢結されて荷台前側に延びるリフトアーム５２と、リフトアーム５２の先端部とホイストシリンダ５１のボトム側端部との間に設けられたテンションリンク部材５３とを有してなる。リフトアーム５２の先端部は荷台１０の底部に枢結されている。
【００３１】
シリンダ機構部５０は、ホイストシリンダ５１が伸長すると、ホイストシリンダ５１が起仰するとともにリフトアーム５２の先端部が荷台１０の底部から離反する方向に回動して、荷台１０が後方側に傾斜する。また伸長したホイストシリンダ５１が縮小すると、ホイストシリンダ５１が倒伏するとともにリフトアーム５２の先端部が荷台１０の底部側に接近する方向に回動して、荷台１０を水平状態に戻す。
【００３２】
荷台１０は、床板１１の前部に板状の前板１２を備え、床板１１の左右両側に一対の側板１３を備え、床板１１の後端に後板１７を備えて構成されている。前板１２は床板１１から上方へ延びて運転キャビン５を保護する。後板１７は、上部が一対の側板１３の後端上部に回動自在に取り付けられており、積載物を排出するときには、荷台１０を後方側に傾斜させて、後板１７を開いた状態にする。
【００３３】
側板１３は、図３（ａ）（説明図）及び図３（ｂ）（説明図）に示すように、床板１１の側部に一体的に取り付けられて上下方向に延び、側板１３の下部は床板１１よりも下方に延びる。このため、荷台１０の前端下部には、床板１１とこれより下方に延びる一対の側板１３の下方延長部１３ａによって囲まれて前方に向いた前側開口部１４が開口し、また荷台１０の底部には、一対の側板１３の下方延長部１３ａによって囲まれて下方に向いた下側開口部１５が開口している。なお、荷台１０の後端下部には、床板１１とこれより下方に延びる一対の側板１３の下方延長部１３ａによって囲まれて後方に向いた後側開口部１６が開口している。
【００３４】
保温用シート２０は、前側保温用シート２１、中間保温用シート３０、後側保温用シート４０から構成されている。前側保温用シート２１は、図３及び図４（説明図）に示すように、前側開口部１４を覆う前面部２２と、下側開口部１５の前側を覆う底面部２３と、底面部２３の左右両側部に繋がって延びる一対の側面部２４とを有してなる。前面部２２は矩形状に形成されて前側開口部１４を覆うことが可能な大きさを有する。底面部２３は矩形状に形成されて下側開口部１５の前側を覆うことが可能な大きさを有する。側面部２４は矩形状に形成されて側板１３の高さ方向寸法よりも大きな寸法を有する。このため、前面部２２によって前側開口部１４を覆い且つ底面部２３によって下側開口部１５を覆った状態で、側面部２４を側板１３の外側面に沿って配置し、且つ前面部２２を前板１２の外側面に沿って配置すると、側面部２４の上部は側板１３の上端から延出して、これを側板１３の内側に折ることができ、また前面部２２の上端は前板１２の中間位置まで延ばすことができる。
【００３５】
中間保温用シート３０は、下側開口部１５の中間部を覆う底面部３１と、底面部３１の左右両側部に繋がって延びる一対の側面部３２とを有してなる。底面部３１は矩形状に形成されて下側開口部１５の中間部を覆うことが可能な大きさを有する。側面部３２は矩形状に形成されて側板１３の高さ方向寸法よりも大きな寸法を有する。底面部３１によって下側開口部１５を覆った状態で、側面部３２を側板１３の外側面に沿って配置すると、側面部３２の上部は側板１３の上端から延出して、これを側板１３の内側に折ることができる。
【００３６】
後側保温用シート４０は、下側開口部１５のうちのシリンダ機構部５０が延出する後部を覆うものであり、この後部を覆う底面部４１と、底面部４１の左右両側部に繋がって延びる一対の側面部４２とを有してなる。底面部４１は矩形状に形成されて下側開口部１５の後端部を覆うことが可能な大きさを有するとともに、ホイストシリンダ５１の伸長に応じて荷台底部から離反する方向に移動するリフトアーム５２を受容する受容部分４３を有する。受容部分４３は、山折りにされて前後方向に延びる折り曲げ線Ｌを中央にして左右対称に繋がる三角面部４３ａを有して凸状に形成されている。三角面部４３ａは折り曲げ線Ｌの部分を底辺とし、側面部４２に繋がる部分を斜辺として形成されている。このように受容部分４３を底面部４１に設けることで、ホイストシリンダ５１が伸縮してリフトアーム５２の先端側が荷台底部から離反する方向に回動しても、リフトアーム５２は受容部分４３に受容されるので、後側保温用シート４０が損傷する虞はない。
【００３７】
なお、保温用シート２０は、断熱性を有し、高温時の寸法安定性や加熱されたアスファルト混合物の剥離性も良好に構成されたものであり、ポリエステル繊維、ポリアミド繊維、アクリル繊維、ビニロン繊維、ポリイミド繊維、ポリフェニレンスルフィド繊維、アラミド繊維、ガラス繊維などから形成されていることが好ましい。さらに、ゴム引き加工、耐熱性樹脂による膜加工などにより補強加工されていても良い。
【００３８】
このように構成された前側保温用シート２１、中間保温用シート３０、後側保温用シート４０のそれぞれには、車体前後方向に隣接する他の保温用シートとの間を接続する接続手段５５と、保温用シートを荷台１０に取り付けるためのシート係止手段６０が設けられている。
【００３９】
接続手段５５は、車体前後方向に隣接して端部同士が重なる保温用シートのうち重ねる側の保護用シートに設けられる係合孔部５６と、重ねられる側の保温用シートに設けられて係合孔部５６に係止される係止突起部５７とを有してなる。係合孔部５６は、前側保温用シート２１及び中間保温用シート３０の各底面部２３，３１の後端部に左右方向に所定間隔を有して複数設けられている。係合孔部５６は、係止突起部５７を係止可能であればその形状は問わない。図面では、図５（ａ）（斜視図）に示すように、楕円状に形成されている。
【００４０】
係止突起部５７は、図４及び図５（ｂ）（斜視図）に示すように、底面部３１，４１に固定された軸部５７ａと、軸部５７ａの先端部に回動自在に取り付けられて係合孔部５６を通って係合孔部５６に係止可能な頭部５７ｂとを有してなる。頭部５７ｂの形状は係合孔部５６を通ってこれに係止可能であればその形状は問わない。図面では、楕円状に形成されている。
【００４１】
シート係止手段６０は、前側保温用シート２１の前面部２２及び一対の側面部２４の外側先端部に取り付けられるとともに、中間保温用シート３０及び後側保温用シート４０の各一対の側面部３２，４２の外側先端部に取り付けられている。シート係止手段６０は、図６（ａ）（斜視図）に示すように、基端側が保温用シート２０（２１，３０，４０）の表面に固着された固着部６１と、固着部６１に繋がって伸縮自在な帯部６２と、帯部６２の先端部に取り付けられて起立した側板１３又は前板１２の上部に掛止可能なフック部６３とを有してなる。
【００４２】
次に、このように構成されたダンプトラック１によってアスファルト混合物を運搬する際のアスファルト混合物運搬方法について説明する。先ず、図３、図４、図６（ｂ）に示すように、荷台１０の底部が露出するようにシリンダ機構部５０を伸長させる。そして、後側保温用シート４０を広げ、係止突起部５７が前側に位置し且つ受容部４３内にシリンダ機構部５０のリフトアーム５２が受容されるように後側保温用シート４０を配置して、底面部４１によって下側開口部１５の後部を覆う。そして、側板１３の外面に沿って側面部４２を延ばし、側板１３の先端から突出した側面部４２を側板１３の内側に折る。そして、シート係止手段６０のフック部６３を介して帯部６２を伸長させて、フック部６３を側板１３の上端部に掛止する。その結果、後側保温用シート４０は、帯部６２の縮小によって緊張した状態で荷台１０の下部に取り付けることができるとともに、床板１１の下方に空間部７０を形成することができる。
【００４３】
次に、中間温用シート３０を広げ、係止突起部５７が前側に位置するように中間温用シート３０を荷台１０の底面側に配置し、中間温用シート３０の底面部３１によって下側開口部１５を覆う。このとき、後側保温用シート４０の前端部上に中間保温用シート３０の後端部が重なるように配置し、係合孔部５６内に係止突起部５７を挿入して回動して係止突起部５７を係合孔部５６に係止する。
【００４４】
そして、側板１３の外面に沿って側面部３２を延ばし、側板１３上端から突出した側面部３２を側板１３の内側に折る。そして、シート係止手段６０のフック部６３を介して帯部６２を伸長させて、側面部３２を介してフック部６３を側板１３の上端部に掛止する。その結果、中間保温用シート３０は、帯部６２の縮小によって緊張した状態で荷台１０の下部に取り付けることができるとともに、床板１１の下方に空間部７１を形成することができる。
【００４５】
次に、前側保温用シート２１を広げ、係合孔部５６が後側に位置するように前側保温用シート２１を荷台１０の前側の底面に配置し、前側温用シート２１の前面部２２によって前側開口部１４を覆い、前側温用シート２１の底面部２３によって下側開口部１５を覆う。このとき、中間保温用シート３０の前端部上に前側保温用シート２１の後端部が重なるように配置し、係合孔部５６内に係止突起部５７を挿入して回動して係止突起部５７を係合孔部５６に係止する。
【００４６】
そして、側板１３の外面に沿って側面部２４を延ばし、側板１３上端から突出した側面部２４を側板１３の内側に折る。そして、シート係止手段６０のフック部６３を介して帯部６２を伸長させて、側面部２４を介してフック部６３を側板１３の上端部に掛止する。また前板１２の外側面に沿って前面部２２を延ばし、シート係止手段６０のフック部６３を介して帯部６２を伸長させて、フック部６３を前板１２の上端部に掛止する。その結果、前側保温用シート２１は、帯部６２の縮小によって緊張した状態で荷台１０の下部に取り付けられるとともに、床板１１の下方に空間部７２を形成することができる。ここで、形成された空間部７０，７１，７２は連通状態にあり、この前側は前側保温用シート２１によって塞がれているので、車両が走行しても保温用シート内側の空気は滞留した状態になる。
【００４７】
このように、前側保温用シート２１、中間保温用シート３０及び後側保温用シート４０を車体後側から前側に荷台底部に取り付けると、荷台１０の床板１１の下方に連通状態にある空間部７０，７１，７２内の滞留する空気からなる空気滞留層７３を形成することができる。そして、荷台１０の床板１１が水平方向になるように、シリンダ機構部５０を縮小させる。そして、荷台１０にアスファルト混合物Ａを積載し、このアスファルト混合物Ａの表面を表側保温用シート４５で覆い、車両を走行させてアスファルト混合物Ａを工事現場に運搬する。
【００４８】
ここで、荷台１０の床板１１の下方に形成された空気滞留層７３は断熱層として機能する。このため、床板１１の下部からのアスファルト混合物Ａの放熱を抑えることができ、アスファルト混合物Ａの冷却防止効果を向上することができる。このため、床板１１からのアスファルト混合物Ａの放熱を抑えることができ、アスファルト混合物Ａの冷却防止効果を向上することができる。従って、アスファルト混合物Ａの温度低下による品質劣化を最小限に抑えることができ、品質劣化して作業廃棄物となるアスファルト混合物Ａの量が少なくなって無駄がなくなり環境面においても良好となり、また長時間の運搬ができ、特に寒冷地等の運搬に効果をより発揮することができる。また、ダンプトラック１の荷台１０の下部に保温用シート２０を装着するだけであるので、土砂等を運搬するときにこれが邪魔にならなければ、保温用シート２０をそのままの状態にしておいてもよいので、保温用シート２０が存在しても、ダンプトラック１の運搬対象物が限定されるものではなく、アスファルト混合物以外の土砂等の運搬も可能であり、ダンプトラック１の汎用性が狭くなることもない。さらに、保温用シート２０は、既存のダンプトラック１の荷台１０に取り付けるだけであるので、新たな設備負担のコストの増加を抑制することができて極めて経済的である。
【００４９】
なお、前述した実施形態では、保温用シート２０によって荷台１０の底部の略全面を覆うように構成した場合を示したが、冷却防止効果が低下するものでなければ、保温用シート２０を荷台底部の前側と中間部のみを覆うようにしてもよい。
【００５０】
また前述したシリンダ機構部５０では、リフトアーム５２を介してホイストシリンダ５１を接続した場合を示したが、ホイストシリンダ５１のロッド側端部を荷台１０の底部に直接に接続してもよい。また、前述したダンプトラック１は荷台１０が後方側に傾斜するものを示したが、荷台１０が車両の左右方向にも傾斜するものでもよく、このような車両に前述した保温用シート２０を取り付けてもよい。
【００５１】
〔実験結果〕
本願発明のダンプトラック１の荷台１０にアスファルト混合物Ａを積載し、このアスファルト混合物Ａの表面のみを表側保温用シート４５で覆った場合と、アスファルト混合物Ａの表面を表側保温用シート４５で覆うとともに荷台１０の外側下部を前方及び側方の略全面に亘って保温用シート２０で覆った場合のアスファルト混合物Ａの温度変化を測定した。その結果を図７（ａ）に示す。図７（ａ）は、縦軸が温度（℃）を示し、横軸が時間（分）を示している。なお、測定位置は、図７（ｂ）（断面図）に示すように、積載されたアスファルト混合物Ａの下面（床板１１の上面）と、下面から５ｃｍ上方の位置と、下面から１０ｃｍ上方の位置とした。また測定条件は次の通りである。
１.外気温度：  １５〜１８℃
２.ダンプトラックの最大積載重量：  ２ｔ
３.荷台１０へのアスファルト混合物Ａの積載重量：  １ｔ
４.ダンプトラックの走行時間：  約４時間
５.ダンプトラックの荷台１０の床板１１の材質：  鉄
【００５２】
このような条件下において測定したアスファルト混合物Ａの温度の変化から下記の事項が明らかになった。
【００５３】
（１）ダンプトラック走行時間の初期時では、アスファルト混合物Ａの下面から
上方に５〜１０ｃｍの位置において、保温用シート２０の有無に係わらずに１７３℃前後のピーク温度となった。またアスファルト混合物Ａの下面では保温用シート２０があるときに１２１℃となり、保温用シート２０がないときに１１０℃となって、保温用シート２０を設けることで、下面において約１０℃の保温効果を確認することができた。
【００５４】
（２）ダンプトラック走行時間が約４時間後のアスファルト混合物Ａの下面の温度は、保温用シート２０があるときに９１℃となり、保温用シート２０がないときに６０℃となって、保温用シート２０を設けることで、下面において約３０℃の保温効果を確認することができた。
【００５５】
（３）ダンプトラック走行時間が約４時間後のアスファルト混合物Ａの下面から上方に５〜１０ｃｍの位置での温度は、保温用シート２０があるときに１３６℃となり、保温用シート２０がないときに１０３℃となって、保温用シート２０を設けることで、下面から５〜１０ｃｍの上方位置において約３０℃の保温効果を確認することができた。
【００５６】
このように荷台１０の外側下部を保温用シート２０で覆うことで、保温効果を確認することができた。また、約４時間後のアスファルト混合物Ａの下面温度は、保温用シート２０があるときに９１℃となって、道路工事等で使用可能なアスファルト混合物Ａの下限温度（約１１０℃）より低くなっているが、この温度低下した部分を含んだアスファルト混合物Ａを工事現場で混練すると、温度低下した部分は高い温度の部分と混ざり合って温度上昇して、全体で１１０℃を超えるアスファルト混合物Ａが得られることが確認された。このため、搬送されたアスファルト混合物Ａの全てを工事現場で使用することができることを確認した。
【図面の簡単な説明】
【００５７】
【図１】従来の運搬用車両を示し、同図（ａ）は運搬用車両の側面説明図であり、同図（ｂ）は運搬用車両の背面説明図である。
【図２】本発明の一実施形態に係わる運搬用車両の側面図を示す。
【図３】本発明の一実施形態に係わる運搬用車両を示し、同図（ａ）は運搬用車両の側面説明図であり、同図（ｂ）は運搬用車両の背面説明図である。
【図４】本発明の一実施形態に係わる運搬用車両の荷台底部を覆う保温用シートの説明図を示す。
【図５】本発明の一実施形態に係わる保温用シートを接続するための係合孔部及び係止突起部の斜視図を示す。
【図６】本発明の一実施形態に係わる保温用シートを側板等に装着するためのシート係止手段の斜視図を示す。
【図７】本発明の一実施形態に係わるダンプトラックによって搬送されるアスファルト混合物の温度を測定した実験結果を示し、同図（ａ）は実験結果を示すグラフであり、同図（ｂ）は測定位置を示した荷台の断面図である。
【符号の説明】
【００５８】
１  ダンプトラック（運搬用車両）
３  車体
１０  荷台
１１  床板
１３  側板
１３ａ  下方延長部
２０  保温用シート
２１  前側保温用シート（保温用シート）
３０  中間保温用シート（保温用シート）
４０  後側保温用シート（保温用シート）
４３  受容部
５０  シリンダ機構部
５２  リフトアーム（シリンダ機構部の先端部）
５６  係合孔部
５７  係止突起部
６０  シート係止手段
６１  固着部
６２  帯部
６３  フック部
７３  空気滞留層
Ａ  アスファルト混合物
【図１】
2008088698.tif 000003
【図２】
2008088698.tif 000004
【図３】
2008088698.tif 000005
【図４】
2008088698.tif 000006
【図５】
2008088698.tif 000007
【図６】
2008088698.tif 000008
【図７】
2008088698.tif 000009